(57)【要約】【課題】バッテリターミナルに接続されているバッテリ直付け型ヒューズユニットがバッテリ側面に干渉することを防止することのできるターミナル固定補助部材を提供すること。【解決手段】バッテリターミナル２０に固定されるターミナル固定部４１と、バッテリ上面１３の凹凸に係合してバッテリ上面１３に沿う方向の移動が規制されるバッテリ結合部４２と、ターミナル固定部４１とバッテリ結合部４２とを結合した連結部４３と、を備え、バッテリ１０上のバッテリターミナル２０の取り付け向きを、正常な取り付け向きに保つ。【選択図】図１
2015032544.tif 000002
【特許請求の範囲】
【請求項１】
基端がバッテリのポスト配置部に配置されたバッテリポストに締結されると共に先端にはバッテリ直付け型ヒューズユニットが締結されるバッテリターミナルに固定されるターミナル固定部と、
前記ポスト配置部の周縁のバッテリ上面の凹凸に係合して、前記バッテリ上面に沿う方向の移動が規制されるバッテリ結合部と、
前記ターミナル固定部と前記バッテリ結合部とを結合した連結部と、
を備え、
前記バッテリ上の前記バッテリターミナルの取り付け向きを、正常な取り付け向きに保つことを特徴とするターミナル固定補助部材。
【請求項２】
前記バッテリ結合部が係合する前記バッテリ上面の前記凹凸は、前記バッテリポストの上を覆うポストカバーの取り付けのために前記バッテリ上面に既設の一対の取付孔であることを特徴とする請求項１に記載のターミナル固定補助部材。
【請求項３】
前記連結部は、前記ターミナル固定部と前記バッテリ結合部とを結ぶ直線と直交する方向に横断する複数の薄肉ヒンジ部を備え、該各薄肉ヒンジ部の折り曲げ角度を調節することで前記ターミナル固定部と前記バッテリ結合部との離間距離が調節されることを特徴とする請求項１又は２に記載のターミナル固定補助部材。
【発明の詳細な説明】
【技術分野】
【０００１】
本発明は、バッテリターミナルをバッテリに固定するターミナル固定補助部材に関する。
【背景技術】
【０００２】
図１４は、下記特許文献１に開示されたバッテリ直付け型ヒューズユニットのバッテリへの取付構造を示している。また、図１５は特許文献１と同様のバッテリ直付け型ヒューズユニットのバッテリへの取付構造を示している。
【０００３】
図１４及び図１５において、符号１１０はバッテリ２００のバッテリポスト２１０に締結されるバッテリターミナルであり、符号１２０はバッテリ直付け型ヒューズユニットである。
【０００４】
バッテリターミナル１１０は、図１５に示すように、バッテリポスト２１０に締結されるポスト締結部１１１と、バッテリ直付け型ヒューズユニット１２０をねじ止めするヒューズユニット取付部１１２とを備えている。
【０００５】
ポスト締結部１１１は、バッテリポスト２１０が挿通するポスト挿通孔１１１ａと、該ポスト挿通孔１１１ａの一部を切り離した構造にするすり割り部１１１ｂと、すり割り部１１１ｂの間隔が狭まるように締め付けて当該ポスト締結部１１１をバッテリポスト２１０に固定する締結ねじ１１１ｃと、を備えた構造である。
【０００６】
ヒューズユニット取付部１１２は、ポスト締結部１１１と一体の導通板部１１２ａに、スタッドボルト１１２ｂを立設したものである。スタッドボルト１１２ｂは、その中心軸線Ｃ１の延在方向が、ポスト締結部１１１のポスト挿通孔１１１ａの中心軸線Ｃ２の方向と平行となるように、設けられている。
【０００７】
図１６は、バッテリターミナル１１０が、正常な取り付け向きでバッテリ２００のバッテリポスト２１０に取り付けられた状態を示している。バッテリターミナル１１０の正常な取り付け向きとは、図１６に示すように、ポスト挿通孔１１１ａの中心とスタッドボルト１１２ｂの中心とを結ぶ直線Ｌ１が、バッテリ２００の側面２０１と直交する向きである。
【０００８】
バッテリ直付け型ヒューズユニット１２０は、ヒューズユニット取付部１１２に締結されて、バッテリターミナル１１０を介してバッテリポスト２１０に導通接続されるターミナル接続導体１２１ａを有したターミナル接続部１２１と、ターミナル接続導体１２１ａに分岐接続される複数の接続端子やヒューズを収容する樹脂製ハウジング１２２と、を備えている。
【０００９】
樹脂製ハウジング１２２において、符号１２２ａで示した部位は、ターミナル接続導体１２１ａに分岐接続される複数の接続端子を収容した端子収容部である。端子収容部１２２ａに収容される接続端子には、バッテリ２００から給電を受ける電線が接続される。また、符号１２２ｂで示した部位は、ターミナル接続導体１２１ａと接続端子との間に装備される複数のヒューズを収容した部位である。
【００１０】
複数のヒューズ及び接続端子を収容した樹脂製ハウジング１２２は、ターミナル接続導体１２１ａの端部から垂直に垂れた形状に装備されている。樹脂製ハウジング１２２は、図１６に示したように、正常な取り付け向きでバッテリポスト２１０に取り付けられたバッテリターミナル１１０にバッテリ直付け型ヒューズユニット１２０が適正に取り付けられたとき、バッテリ２００の側面２０１に沿って配置されて、バッテリ２００からの出っ張りを低減させる。
【先行技術文献】
【特許文献】
【００１１】
【特許文献１】特開２００８−１５５７４６号公報
【発明の概要】
【発明が解決しようとする課題】
【００１２】
ところが、特許文献１や図１５に示した取付構造では、図１７に示すように、バッテリターミナル１１０の取り付け向きが正常な取り付け向きから角度θだけ傾くことがある。そして、バッテリターミナル１１０の取り付け向きが傾いたときには、バッテリ直付け型ヒューズユニット１２０の樹脂製ハウジング１２２がバッテリ２００の側面２０１に干渉して、バッテリ直付け型ヒューズユニット１２０の破損を招くおそれがあった。
【００１３】
このような不都合を防止する対応として、バッテリ直付け型ヒューズユニット１２０がバッテリ２００と干渉しないように、バッテリターミナル１１０の構造自体、或いはバッテリ直付け型ヒューズユニット１２０の構造自体を改良することが考えられる。しかし、このような対応では、バッテリターミナルやバッテリ直付け型ヒューズユニットを新規に設計し直さなければならず、旧製品については、干渉防止を図ることができないという問題があった。
【００１４】
そこで、本発明の目的は、上記課題を解消することに係り、バッテリターミナルやバッテリ直付け型ヒューズユニットの構造を改造せずとも、バッテリターミナルに接続されているバッテリ直付け型ヒューズユニットがバッテリ側面に干渉することを防止することのできるターミナル固定補助部材を提供することにある。
【課題を解決するための手段】
【００１５】
本発明の前述した目的は、下記の構成により達成される。
（１）  基端がバッテリのポスト配置部に配置されたバッテリポストに締結されると共に先端にはバッテリ直付け型ヒューズユニットが締結されるバッテリターミナルに固定されるターミナル固定部と、
前記ポスト配置部の周縁のバッテリ上面の凹凸に係合して、前記バッテリ上面に沿う方向の移動が規制されるバッテリ結合部と、
前記ターミナル固定部と前記バッテリ結合部とを結合した連結部と、
を備え、
前記バッテリ上の前記バッテリターミナルの取り付け向きを、正常な取り付け向きに保つことを特徴とするターミナル固定補助部材。
【００１６】
（２）  前記バッテリ結合部が係合する前記バッテリ上面の前記凹凸は、前記バッテリポストの上を覆うポストカバーの取り付けのために前記バッテリ上面に既設の一対の取付孔であることを特徴とする上記（１）に記載のターミナル固定補助部材。
【００１７】
（３）  前記連結部は、前記ターミナル固定部と前記バッテリ結合部とを結ぶ直線と直交する方向に横断する複数の薄肉ヒンジ部を備え、該各薄肉ヒンジ部の折り曲げ角度を調節することで前記ターミナル固定部と前記バッテリ結合部との離間距離が調節されることを特徴とする上記（１）又は（２）に記載のターミナル固定補助部材。
【００１８】
上記（１）の構成によれば、ターミナル固定補助部材は、ターミナル固定部によりバッテリターミナルに固定することができる。そして、当該ターミナル固定補助部材を組み付けたバッテリターミナルをバッテリのバッテリポストに締結させると、バッテリ結合部がバッテリ上面の凹凸に係合して、バッテリターミナルの取り付け向きが正常な取り付け向きに固定される。
【００１９】
そのため、バッテリターミナルの取り付け向きが傾くこと自体を防止できる。従って、バッテリターミナルの先端に締結されたバッテリ直付け型ヒューズユニットが、バッテリターミナルの取り付け向きが傾くことによってバッテリの側面と干渉することを確実に防止することができる。従って、バッテリの側面との干渉でバッテリ直付け型ヒューズユニットが破損することを防止することができる。
【００２０】
また、上記（１）の構成によれば、ターミナル固定補助部材は、バッテリターミナルとバッテリとの間に介在して、バッテリポストを回動中心としたバッテリターミナルの回動自体を規制する。そのため、バッテリターミナルやバッテリ直付け型ヒューズユニットの構造自体は改造が不要である。従って、バッテリターミナルやバッテリ直付け型ヒューズユニットを新規に設計し直す必要がなく、バッテリに対するバッテリ直付け型ヒューズユニットの干渉防止を，安価に実現することができる。また、バッテリターミナルやバッテリ直付け型ヒューズユニットの旧製品についても、干渉防止を図ることができる。
【００２１】
上記（２）の構成によれば、バッテリ結合部が係合するバッテリ上面の凹凸は、バッテリポストの上を覆うポストカバーの取り付けのために従来よりバッテリ上面に装備されている取付孔である。即ち、ターミナル固定補助部材の取り付けのために、バッテリに専用の係合構造を追加する必要がなく、既存のバッテリに対して、何ら改造せずとも、本発明のターミナル固定補助部材を適用して、バッテリ直付け型ヒューズユニットの干渉防止を図ることができる。
【００２２】
上記（３）の構成によれば、連結部に装備されている複数の薄肉ヒンジ部での折り曲げ角度を調整することで、ターミナル固定部とバッテリ結合部との離間距離を調整することができる。そのため、バッテリのバッテリポストとバッテリ上面の凹凸との離間距離が異なる複数のバッテリに当該ターミナル固定補助部材を使用することができ、ターミナル固定補助部材の汎用性を向上させることができる。
【発明の効果】
【００２３】
本発明によるターミナル固定補助部材によれば、既存のターミナルやバッテリ直付け型ヒューズユニットの構造を変更せずとも、バッテリターミナルに接続されているバッテリ直付け型ヒューズユニットがバッテリ側面に干渉することを防止することができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明に係るターミナル固定補助部材の一実施形態が組み付けられてバッテリに取り付けられるバッテリターミナルの斜視図である。
【図２】図２は本発明の一実施形態のターミナル固定補助部材によってバッテリターミナルがバッテリに位置決めされている状態の平面図である。
【図３】図３は図２のＡ矢視図である。
【図４】図４は図１に示したバッテリの平面図である。
【図５】図５は図４のＢ−Ｂ断面図である。
【図６】図６は本発明の一実施形態のターミナル固定補助部材とバッテリターミナルの組み立て前の状態を示す斜視図である。
【図７】図７は本発明の一実施形態のターミナル固定補助部材の連結部が延びきった状態の斜視図である。
【図８】図８は図７に示しターミナル固定補助部材の平面図である。
【図９】図９は図８のＣ矢視図である。
【図１０】図１０は図８のＤ−Ｄ断面図である。
【図１１】図１１は図６に示したターミナル固定補助部材にバッテリターミナルが取り付けられた状態の平面図である。
【図１２】図１２は図１１のＥ矢視図である。
【図１３】図１３は一実施形態のターミナル固定補助部材が寸法の異なるバッテリに取り付けられた状態を示すバッテリ側面図である。
【図１４】図１４は従来のターミナル固定補助部材の斜視図である。
【図１５】図１５は図１４と同様の取付構造でバッテリポストに接続されるバッテリターミナル及びバッテリ直付け型ヒューズユニットの分解斜視図である。
【図１６】図１６は図１５に示したターミナル固定補助部材で、バッテリターミナルが、正常な取り付け向きでバッテリに取り付けられている状態を示す平面図である。
【図１７】図１７は図１５に示したターミナル固定補助部材で、バッテリターミナルの取り付け向きが、正常な取り付け向きから傾いた状態の平面図である。
【発明を実施するための形態】
【００２６】
以下、本発明に係るターミナル固定補助部材の好適な実施形態について、図面を参照して詳細に説明する。
【００２７】
図１〜図１３は本発明に係るターミナル固定補助部材の一実施形態を示したもので、図１は本発明に係るターミナル固定補助部材の一実施形態が組み付けられてバッテリに取り付けられるバッテリターミナルの斜視図、図２は本発明の一実施形態のターミナル固定補助部材によってバッテリターミナルがバッテリに位置決めされている状態の平面図、図３は図２のＡ矢視図、図４は図１に示したバッテリの平面図、図５は図４のＢ−Ｂ断面図、図６は本発明の一実施形態のターミナル固定補助部材とバッテリターミナルの組み立て前の状態を示す斜視図、図７は本発明の一実施形態のターミナル固定補助部材の連結部が延びきった状態の斜視図、図８は図７に示しターミナル固定補助部材の平面図、図９は図８のＣ矢視図、図１０は図８のＤ−Ｄ断面図、図１１は図６に示したターミナル固定補助部材にバッテリターミナルが取り付けられた状態の平面図、図１２は図１１のＥ矢視図、図１３は一実施形態のターミナル固定補助部材が寸法の異なるバッテリに取り付けられた状態を示すバッテリ側面図である。
【００２８】
この一実施形態のターミナル固定補助部材４０は、図１に示すように、バッテリ１０のバッテリポスト１２に締結されるバッテリターミナル２０に取り付けられて、バッテリポスト１２に締結したバッテリターミナル２０の取り付け向きを、正常な取り付け向きに固定する。
【００２９】
バッテリポスト１２は、バッテリ１０に装備される柱状の電極で、図１及び図４に示すように、バッテリ１０の上面の隅部のポスト配置部１１に、配置される。ポスト配置部１１は、バッテリポスト１２に締結するバッテリターミナル２０のバッテリ上面１３側への突出を抑えるために、バッテリ上面１３よりも一段下がった位置に装備されている。
【００３０】
前記ポスト配置部１１の周縁のバッテリ上面１３には、図４及び図５に示すように、ターミナル固定補助部材４０のバッテリ結合部４２と係合する凹凸としての一対の取付孔１５が装備されている。この一対の取付孔１５は、バッテリポスト１２の上を覆うポストカバー（不図示）の取り付けのために、従来よりバッテリ上面１３に装備されているカバー取付孔である。即ち、本実施形態では、ポストカバーの取付用の既設の取付孔１５が、ターミナル固定補助部材４０の係合に利用される。図３及び図４に示すように、本実施形態におけるバッテリ１０では、一対の取付孔１５とバッテリポスト１２との間の離間距離がＬ１になっている。
【００３１】
バッテリターミナル２０は、図２及び図６に示すように、バッテリポスト１２に締結されるポスト締結部２１と、バッテリ直付け型ヒューズユニットをねじ止めするヒューズユニット取付部２２とを備えている。
【００３２】
ポスト締結部２１は、図６に示すように、バッテリポスト１２が挿通するポスト挿通孔２１ａと、該ポスト挿通孔２１ａの一部を切り離した構造にするすり割り部２１ｂと、すり割り部２１ｂの間隔が狭まるように締め付けて当該ポスト締結部２１をバッテリポスト１２に固定する締結ねじ２１ｃと、を備えた構造である。
【００３３】
ヒューズユニット取付部２２は、図６に示すように、ポスト締結部２１と一体の導通板部２２ａに、スタッドボルト２２ｂを立設したものである。スタッドボルト２２ｂは、図６に示すように、その中心軸線Ｃ３の延在方向が、ポスト締結部２１のポスト挿通孔２１ａの中心軸線Ｃ４の方向と平行となるように、設けられている。
【００３４】
図２は、バッテリターミナル２０が、正常な取り付け向きでバッテリ１０のバッテリポスト１２に取り付けられた状態を示している。バッテリターミナル２０の正常な取り付け向きとは、図２に示すように、ポスト挿通孔２１ａの中心とスタッドボルト２２ｂの中心とを結ぶ直線Ｋが、バッテリ１０の側面１６と直交する向きである。
【００３５】
ヒューズユニット取付部２２に締結されるバッテリ直付け型ヒューズユニットは、図１５に示したバッテリ直付け型ヒューズユニット１２０と同様の構成とすることができる。
【００３６】
本実施形態のターミナル固定補助部材４０は、樹脂による一体成形品である。このターミナル固定補助部材４０は、図６及び図７に示すように、ターミナル固定部４１と、バッテリ結合部４２と、連結部４３と、を備えている。
【００３７】
ターミナル固定部４１は、バッテリターミナル２０の底面に固定される部位である。このターミナル固定部４１は、バッテリターミナル２０の底面に重ねられる基板部４１ａと、該基板部４１ａから起立してバッテリターミナル２０の側部に係合するターミナル係合部４１ｂと、を備えている。基板部４１ａには、該基板部４１ａ上に重なるバッテリターミナル２０のポスト挿通孔２１ａに対応する位置に、バッテリポスト１２を挿通させるポスト挿通穴４１ｃが形成されている。
【００３８】
ターミナル固定補助部材４０は、図６に矢印Ｍで示すように、ターミナル固定部４１の基板部４１ａの上にバッテリターミナル２０の下面を重ねると、ターミナル固定部４１のターミナル係合部４１ｂがバッテリターミナル２０の側部に係合して、ターミナル固定補助部材４０がバッテリターミナル２０に固定された状態になる。
【００３９】
バッテリ結合部４２は、バッテリ上面１３に重なる基板部４２１と、該基板部４２１の裏面に突設された一対の突起４２２と、を備えている。一対の突起４２２は、バッテリ上面１３上の一対の取付孔１５に係合する突起である。バッテリ結合部４２は、一対の突起４２２をバッテリ上面１３上の一対の取付孔１５に係合させることで、バッテリ上面１３に沿う方向の移動が規制され、バッテリ１０に固定された状態になる。
【００４０】
連結部４３は、ターミナル固定部４１とバッテリ結合部４２とを結合した板状の部位である。該連結部４３の一端（図８では、右端）にはターミナル固定部４１の基板部４１ａが連なり、連結部４３の他端（図８では、左端）には、バッテリ結合部４２の基板部４２１が連なる。
【００４１】
本実施形態の連結部４３は、ターミナル固定部４１とバッテリ結合部４２とを結ぶ直線と直交する方向（図８では矢印Ｙ１方向）に横断する三つの薄肉ヒンジ部４４ａ，４４ｂ，４４ｃを備えている。各薄肉ヒンジ部４４ａ，４４ｂ，４４ｃは、薄肉化して、可撓性を付与したものである。
【００４２】
薄肉ヒンジ部４４ａは、連結部４３とターミナル固定部４１との境界部に装備されたヒンジ部である。この薄肉ヒンジ部４４ａは、図６に示すように、連結部４３とターミナル固定部４１との境界部を、谷折りに折り曲げ可能にしている。
【００４３】
薄肉ヒンジ部４４ｂは、連結部４３とターミナル固定部４１との中間位置に装備されたヒンジ部である。この薄肉ヒンジ部４４ｂは、図６に示すように、連結部４３の中央部を山折りに折り曲げ可能にしている。
【００４４】
薄肉ヒンジ部４４ｃは、連結部４３とバッテリ結合部４２との境界部に装備されたヒンジ部である。この薄肉ヒンジ部４４ｃは、図６に示すように、連結部４３とバッテリ結合部４２との境界部を谷折りに折り曲げ可能にしている。
【００４５】
本実施形態の連結部４３では、図６に示したように、各薄肉ヒンジ部４４ａ，４４ｂ，４４ｃの折り曲げ角度を調節することで、ターミナル固定部４１とバッテリ結合部４２との離間距離を調節することができる。
【００４６】
以上に説明したターミナル固定補助部材４０は、バッテリターミナル２０をバッテリポスト１２に締結する前に、バッテリターミナル２０に取り付けられる。
【００４７】
そして、図１に示すように、ターミナル固定補助部材４０を組み付けたバッテリターミナル２０をバッテリポスト１２に取り付ける際には、バッテリ結合部４２の一対の突起４２２がバッテリ上面１３の取付孔１５に嵌入するように、連結部４３上の各薄肉ヒンジ部４４ａ，４４ｂ，４４ｃでの折り曲げ角度を調節し、バッテリ結合部４２の一対の突起４２２をバッテリ上面１３の取付孔１５に嵌入させる。
【００４８】
そして、バッテリ結合部４２の一対の突起４２２がバッテリ上面１３の取付孔１５に係合することで、バッテリ結合部４２がバッテリに固定される。そして、ターミナル固定補助部材４０により、バッテリターミナル２０がバッテリポスト１２の周囲に回動することができなくなり、バッテリターミナル２０の取り付け向きが正常な取り付け向きに固定される。
【００４９】
なお、図３に示すように、一実施形態におけるターミナル固定補助部材４０は、連結部４３における各薄肉ヒンジ部４４ａ，４４ｂ，４４ｃの折り曲げ角度を調整することで、ターミナル固定部４１とバッテリ結合部４２との離間距離を、バッテリ１０のバッテリポスト１２と取付孔１５との間の離間距離Ｌ１に整合させている。しかし、一実施形態のターミナル固定補助部材４０が対応することのできるバッテリポスト１２と取付孔１５との間の離間距離は、上記Ｌ１に限らない。
【００５０】
例えば、連結部４３における各薄肉ヒンジ部４４ａ，４４ｂ，４４ｃの折り曲げ角度を、図１３に示すように、図３の状態よりも緩やかな曲げ角度に調整すると、ターミナル固定部４１とバッテリ結合部４２との離間距離が増大して、バッテリポスト１２と取付孔１５との間の離間距離が図３に示したＬ１よりも大きな値であるＬ２となっているバッテリ１０Ａにも対応することができる。また、図示はしていないが、連結部４３における各薄肉ヒンジ部４４ａ，４４ｂ，４４ｃの折り曲げ角度を、図３の状態よりも急な曲げ角度に調整すると、ターミナル固定部４１とバッテリ結合部４２との離間距離が減少して、バッテリポスト１２と取付孔１５との間の離間距離が図３に示したＬ１よりも小さな値となる他のバッテリに対応することが可能になる。
【００５１】
以上に説明した一実施形態のターミナル固定補助部材４０は、ターミナル固定部４１をバッテリターミナル２０の下面に係合させることによって、バッテリターミナル２０に固定することができる。そして、図１に示したように当該ターミナル固定補助部材４０を組み付けたバッテリターミナル２０をバッテリ１０のバッテリポスト１２に締結させると、バッテリ結合部４２の一対の突起４２２が、バッテリ上面１３の凹凸である一対の取付孔１５に係合して、図２に示すようにバッテリターミナル２０の取り付け向きが正常な取り付け向きに固定される。
【００５２】
そのため、バッテリターミナル２０の取り付け向きが傾くこと自体を防止できる。従って、バッテリターミナル２０の先端に締結されたバッテリ直付け型ヒューズユニットが、バッテリターミナル２０の取り付け向きが傾くことによってバッテリ１０の側面と干渉することを確実に防止することができる。従って、バッテリ１０の側面１６との干渉でバッテリ直付け型ヒューズユニットが破損することを防止することができる。
【００５３】
また、一実施形態のターミナル固定補助部材４０は、バッテリターミナル２０とバッテリ１０との間に介在して、バッテリポスト１２を回動中心とするバッテリターミナル２０の回動自体を規制する。そのため、バッテリターミナル２０やバッテリ直付け型ヒューズユニットの構造自体は改造が不要である。従って、バッテリターミナル２０やバッテリ直付け型ヒューズユニットを新規に設計し直す必要がなく、バッテリ１０に対するバッテリ直付け型ヒューズユニットの干渉防止を，安価に実現することができる。また、バッテリターミナル２０やバッテリ直付け型ヒューズユニットの旧製品についても、干渉防止を図ることができる。
【００５４】
また、一実施形態のターミナル固定補助部材４０の場合、バッテリ結合部４２が係合するバッテリ上面１３の凹凸は、バッテリポスト１２の上を覆うポストカバーの取り付けのために従来よりバッテリ上面１３に装備されている取付孔である。即ち、ターミナル固定補助部材４０の取り付けのために、バッテリ１０に専用の係合構造を追加する必要がなく、既存のバッテリ１０に対して、何ら改造せずとも、本発明のターミナル固定補助部材４０を適用して、バッテリ直付け型ヒューズユニットの干渉防止を図ることができる。
【００５５】
また、一実施形態のターミナル固定補助部材４０の場合、連結部４３に装備されている複数の薄肉ヒンジ部４４ａ，４４ｂ，４４ｃでの折り曲げ角度を調整することで、ターミナル固定部４１とバッテリ結合部４２との離間距離を調整することができる。そのため、バッテリ１０のバッテリポスト１２とバッテリ上面１３の凹凸との離間距離が異なる複数のバッテリ１０に当該ターミナル固定補助部材４０を使用することができ、ターミナル固定補助部材４０の汎用性を向上させることができる。
【００５６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５７】
ここで、上述した本発明に係るターミナル固定補助部材の実施形態の特徴をそれぞれ以下［１］〜［３］に簡潔に纏めて列記する。
【００５８】
［１］  基端がバッテリ（１０）のポスト配置部（１１）に配置されたバッテリポスト（１２）に締結されると共に先端にはバッテリ直付け型ヒューズユニットが締結されるバッテリターミナル（２０）に固定されるターミナル固定部（４１）と、
前記ポスト配置部（１１）の周縁のバッテリ上面（１３）の凹凸（１５）に係合して、前記バッテリ上面（１３）に沿う方向の移動が規制されるバッテリ結合部（４２）と、
前記ターミナル固定部（４１）と前記バッテリ結合部（４２）とを結合した連結部（４３）と、
を備え、
前記バッテリ（１０）上の前記バッテリターミナル（２０）の取り付け向きを、正常な取り付け向きに保つことを特徴とするターミナル固定補助部材（４０）。
【００５９】
［２］  前記バッテリ結合部（４２）が係合する前記バッテリ上面（１３）の前記凹凸は、前記バッテリポスト（１２）の上を覆うポストカバーの取り付けのために前記バッテリ上面（１３）に既設の一対の取付孔（１５）であることを特徴とする上記［１］に記載のターミナル固定補助部材（４０）。
【００６０】
［３］  前記連結部（４３）は、前記ターミナル固定部（４１）と前記バッテリ結合部（４２）とを結ぶ直線と直交する方向に横断する複数の薄肉ヒンジ部（４４ａ，４４ｂ，４４ｃ）を備え、該各薄肉ヒンジ部（４４ａ，４４ｂ，４４ｃ）の折り曲げ角度を調節することで前記ターミナル固定部（４１）と前記バッテリ結合部（４２）との離間距離が調節されることを特徴とする上記［１］又は［２］に記載のターミナル固定補助部材（４０）。
【符号の説明】
【００６１】
１０  バッテリ
１１  ポスト配置部
１２  バッテリポスト
１３  バッテリ上面
１５  取付孔（凹凸）
２０  バッテリターミナル
４０  ターミナル固定補助部材
４１  ターミナル固定部
４２  バッテリ結合部
４３  連結部
４４ａ，４４ｂ，４４ｃ  薄肉ヒンジ部
【図１】
2015032544.tif 000003
【図２】
2015032544.tif 000004
【図３】
2015032544.tif 000005
【図４】
2015032544.tif 000006
【図５】
2015032544.tif 000007
【図６】
2015032544.tif 000008
【図７】
2015032544.tif 000009
【図８】
2015032544.tif 000010
【図９】
2015032544.tif 000011
【図１０】
2015032544.tif 000012
【図１１】
2015032544.tif 000013
【図１２】
2015032544.tif 000014
【図１３】
2015032544.tif 000015
【図１４】
2015032544.tif 000016
【図１５】
2015032544.tif 000017
【図１６】
2015032544.tif 000018
【図１７】
2015032544.tif 000019